(57)【特許請求の範囲】
【請求項１】
支柱の本体の開口側に端部が挿入された状態で連結用の孔を貫通する締結具を介して支柱に連結されるとともに長手方向に沿って延びる開口を有する連結部材の端部に組み付けられるスペーサであって、
前記連結部材の両側壁間とほぼ同じ幅の一対の支持片を備え、前記連結部材への装着時に前記両支持片の間に前記締結具が配置されるように前記両側壁間に挿入可能な形状に形成された本体部と、
前記支持片の先端に設けられ、前記連結部材の端部の両側壁に挟まれた壁に形成された一対の挿通孔に挿通可能な一対の挿通部と、
前記挿通部が前記壁を内側から外側に向かって貫通するように前記挿通孔に挿通された状態における前記各挿通部の前記壁からの突出側に設けられ、前記連結部材と係合してスペーサの前記連結部材からの離脱を規制する凸部と
を備えた支柱との連結部材用のスペーサ。
【請求項２】
前記本体部には前記凸部が前記壁の外側に位置するまで前記挿通部が前記挿通孔に挿通された状態において、スペーサの連結部材に対する位置決めを行う位置決め部が形成されている請求項１に記載の支柱との連結部材用のスペーサ。
【請求項３】
前記凸部は前記両挿通部にプレス加工でそれぞれ外側に凸となるように形成されている請求項１又は請求項２に記載の支柱との連結部材用のスペーサ。
【発明の詳細な説明】
【０００１】
【発明の属する技術分野】
本発明は支柱との連結部材用のスペーサに係り、詳しくは例えばラック用の支柱の本体の開口側に端部が挿入された状態で連結用の孔を貫通する締結具を介して支柱に連結され、長手方向に沿って延びる開口を有する連結部材の端部に組み付けられるスペーサに関するものである。
【０００２】
【従来の技術】
従来、組立式のラックは、少なくとも前後に２本づつ、合計４本の支柱と、列方向（前後）に並んだ支柱間を連結する筋かい（ラチス）や水平材を備え、各支柱に設けられた取付部に棚材を取り付けることにより組み立てられている。そして、この棚材の上に荷を載置することにより、棚に荷が収容される。
【０００３】
ラック用支柱と筋かいや水平材とを連結する構造として、従来、支柱の長手方向に沿って延びる開口部を備えた支柱を使用するものがある。例えば、特開平５−１１６７１８号公報には、図６に示すように、本体３１ａの開口側に本体３１ａの幅より狭い所定間隔で互いに平行に延びる一対の連結板部３１ｂを備えた支柱３１に、断面コ字状の筋かい（ラチス）３２及び水平材３３とが組み付けられた構造が開示されている。
【０００４】
この構造では前後に立設される支柱３１は、連結板部３１ｂが互いに対向する状態で配置される。筋かい３２及び水平材３３にはその端部に連結用の孔３２ａ，３３ａが形成され、その端部が連結板部３１ｂ間の所定位置にそれぞれ挿入される。そして、連結板部３１ｂに形成された連結用の孔３１ｃと、筋かい３２及び水平材３３の孔３２ａ，３３ａとを貫通するリベット３４により筋かい３２及び水平材３３がそれぞれ支柱３１に固定される。筋かい３２及び水平材３３の端部には両側壁３２ｂ，３３ｂ間にスペーサの役割を果たす折り曲げ部３２ｃ，３３ｃが一体形成されている。
【０００５】
また、図７に示すように、支柱３１の連結板部３１ｂと例えば筋かい３２とを、筋かい３２の両側壁３２ｂの内面間に筒状のスペーサ３５を介装した状態でボルト３６及びナット３７により締め付け固定する連結方法も実施されている。スペーサ３５は連結板部３１ｂと筋かい３２等の連結部材とをボルト３６及びナット３７で強固に締め付ける際に、連結板部３１ｂ及び連結部材が塑性変形するのを防止する役割を果たす。
【０００６】
そして、ラックがパレットに積載された荷の保管に使用するパレットラックの場合は、図８（ａ）に示すように、本体３１ａの連結板部３１ｂと対向する壁３１ｄに所定ピッチで取付孔３８が形成された支柱３１が使用される。そして、ラックの連方向（図８（ａ）の左右方向）に並んで隣接する支柱３１間に、両端部に所謂ガセットプレートと呼ばれる取付片３９が固着されたビーム４０（一端側のみ図示）が架設される。取付片３９には取付孔３８と同じピッチで係止爪３９ａが形成され、係止爪３９ａが取付孔３８に係止されてビーム４０が支柱３１に取り付けられるようになっている。また、自動倉庫のラックを構成する支柱３１の場合は、本体３１ａの両側壁に、図８（ｂ）に示すように、所定ピッチで係合孔４１が形成されている。そして、ラックを構成する前後一対の支柱３１間に、係合孔４１に係止可能な係止爪４２ａを備えた荷受け棚４２が前後方向に延びるように配設される。そして、それぞれ対向する状態で配置された荷受け棚４２によって荷が支持される。
【０００７】
【発明が解決しようとする課題】
地震の際にラックの揺れでラックが損傷しないようにするためには、連結板部３１ｂと筋かい３２等の連結部材とを強固に締め付け固定する必要がある。そして、締結具による強固な締め付け力により連結部材の側壁及び連結板部３１ｂが塑性変形するのを防止するため、連結部材の側壁内面にスペーサ３５を配置する必要がある。ところが、図７に示す連結構造のように連結部材と独立したスペーサ３５を使用する場合は、筋かい３２等の連結部材の支柱３１への連結作業の際、連結部材の端部を連結板部３１ｂと対応する所定位置に配置するとともに、スペーサ３５を所定位置に保持した状態でボルト３６を連結板部３１ｂ等の孔３１ｃ等に挿通する必要がある。しかし、この作業を一人で行うのは非常に難しく、作業性が悪いという問題がある。
【０００８】
特開平５−１１６７１８号公報に開示された筋かい３２及び水平材３３のように、連結部材がスペーサの役割を果たす折り曲げ部３２ｃ，３３ｃを備えている場合は、連結作業時にスペーサを所定位置に保持する必要がないため、作業性は良くなる。しかし、折り曲げ部３２ｃ，３３ｃを備えた連結部材は加工が面倒であるという問題がある。また、スペーサは締結具による締め付け力に対抗する役割の他に、連結部材から連結板部３１ｂを介して支柱３１にねじれ作用を与える力が作用する際に、ねじれ力を広い面積に分散させて支柱３１への影響を少なくする役割を果たすことが可能である。しかし、折り曲げ部３２ｃ，３３ｃの断面積を大きくするのは難しく、折り曲げ部３２ｃ，３３ｃにはねじれ力の支柱への影響を少なくする効果は殆ど期待できない。
【０００９】
本発明は前記の問題点に鑑みてなされたものであって、その目的は支柱の本体の開口側に、長手方向に沿って延びる開口を有する連結部材をその端部の両側壁間にスペーサを介在させた状態で締結具を介して連結する連結作業時の作業性を良くすることができ、しかも断面積の大きなスペーサを使用することが容易な支柱との連結部材用のスペーサを提供することにある。
【００１０】
【課題を解決するための手段】
前記の目的を達成するため、請求項１に記載の発明では、支柱の本体の開口側に端部が挿入された状態で連結用の孔を貫通する締結具を介して支柱に連結されるとともに長手方向に沿って延びる開口を有する連結部材の端部に組み付けられるスペーサであって、前記連結部材の両側壁間とほぼ同じ幅の一対の支持片を備え、前記連結部材への装着時に前記両支持片の間に前記締結具が配置されるように前記両側壁間に挿入可能な形状に形成された本体部と、前記支持片の先端に設けられ、前記連結部材の端部の両側壁に挟まれた壁に形成された一対の挿通孔に挿通可能な一対の挿通部と、前記挿通部が前記壁を内側から外側に向かって貫通するように前記挿通孔に挿通された状態における前記各挿通部の前記壁からの突出側に設けられ、前記連結部材と係合してスペーサの前記連結部材からの離脱を規制する凸部とを備えた。
【００１１】
請求項２に記載の発明では、請求項１に記載の発明において、前記本体部には前記凸部が前記壁の外側に位置するまで前記挿通部が前記挿通孔に挿通された状態において、スペーサの連結部材に対する位置決めを行う位置決め部が形成されている。
【００１２】
請求項３に記載の発明では、請求項１又は請求項２に記載の発明において、前記凸部は前記両挿通部にプレス加工でそれぞれ外側に凸となるように形成されている。
【００１３】
請求項１に記載の発明のスペーサは、長手方向に沿って延びる開口を有する連結部材（例えば筋かい及び水平材等）の端部に組み付けられて使用される。連結部材は端部が支柱の本体の開口側に挿入された状態で、連結用の孔を貫通する締結具を介して支柱に連結される。スペーサは一対の支持片の先端に形成された挿通部が、挿通孔を連結部材の壁の内側から外側に向かって貫通するように挿通され、凸部が前記壁の外側に位置する状態に装着される。そして、凸部が連結部材と係合することにより、スペーサの連結部材からの離脱が規制される。
【００１４】
請求項２に記載の発明では、請求項１に記載の発明において、凸部が前記壁の外側に位置するまで挿通部が挿通孔に挿通されると、本体部に形成された位置決め部が連結部材と係合する。そして、スペーサの連結部材に対する位置決めがなされる。
【００１５】
請求項３に記載の発明では、請求項１又は請求項２に記載の発明において、前記凸部は前記両挿通部にプレス加工でそれぞれ外側に凸となるように形成されているため、凸部の形成が簡単になる。
【００１６】
【発明の実施の形態】
以下、本発明を具体化した一実施の形態を図１〜図４に従って説明する。図２は支柱に連結部材としての筋かいが連結された状態を、ラックの連方向に沿った方向から見た側面図、図３（ａ）は図２のＡ−Ａ線断面図、図３（ｂ）は図２のＢ−Ｂ線断面図である。
【００１７】
図３（ｂ）に示すように、ラックを構成する支柱１は平面コ字状の本体２と、本体２の両側壁２ａに連続するように一体形成された一対のテーパ部３と、テーパ部３に連続するように一体形成された一対の連結板部４とから構成されている。即ち、支柱１は一部が開口された状態に形成されている。
【００１８】
テーパ部３は本体２側から突出側に向かって徐々に幅が狭くなるように形成されている。従って、連結板部４とテーパ部３とは鈍角を成すように連続している。連結板部４は本体２の幅、即ち両側壁２ａの間隔より狭い所定間隔をおいて互いに平行に延びるように形成され、その先端にはリップ５が外側へ直角に折り曲げ形成されている。両連結板部４の間隔は、ラックを構成する連結部材としての筋かい（ラチス）６及び図示しない水平材の端部が挿入可能な間隔に設定されている。連結板部４には、筋かい６又は水平材の端部を連結する際に使用する連結用の孔４ａが形成されている。支柱１は金属板（例えば鋼板）の曲げ加工（ロールフォーミング）により形成されている。
【００１９】
図１（ａ）及び図３（ａ）に示すように、筋かい６は断面ほぼコ字状に形成され、両側壁６ａの外面の間隔が両連結板部４ａの間隔とほぼ同じに形成されている。両側壁６ａの先端は内側に向かって直角に屈曲形成されている。筋かい６の両端部（片側のみ図示）には、両側壁６ａの対向する位置に連結用の孔６ｂが形成され、両側壁６ａに挟まれた壁６ｃに一対の挿通孔７が形成されている。両挿通孔７は孔６ｂの直径より大きな間隔で、両孔６ｂの中心を通り壁６ｃと直交する仮想平面を挟む位置に筋かい６の長手方向と直交する状態で平行に形成されている。また、両側壁６ａの先端には、筋かい６の端部から両挿通孔７と対向する位置より中央側寄りまで延びる切欠き部８が形成されている。なお、水平材も同様に構成されている。また、筋かい６及び水平材も金属板（例えば鋼板）の曲げ加工により形成されている。
【００２０】
図１（ａ），（ｂ）に示すように、筋かい６及び水平材の端部に組み付けられて使用されるスペーサ９は、断面ほぼコ字状に屈曲形成され、筋かい６の両側壁６ａの間隔とほぼ同じ幅Ｗの一対の支持片１０ａを備えた本体部１０を備えている。両支持片１０ａの間隔は、筋かい６の壁６ｃに形成された挿通孔７の間隔より若干広く形成され、各支持片１０ａの先端に挿通孔７に挿通可能な挿通部１１が一体形成されている。即ち、本体部１０はスペーサ９の筋かい６への装着時に両支持片１０ａの間に締結具が配置されるように両側壁６ａ間に挿入可能な形状に屈曲形成されている。
【００２１】
挿通部１１はその幅が挿通孔７の長さより短く形成されている。従って、挿通部１１の幅は本体部１０の幅Ｗより狭く、挿通部１１は支持片１０ａの先端が筋かい６の壁６ｃの内面に当接するまで挿通孔７に挿通可能となっている。各挿通部１１には挿通部１１が筋かい６を内側から外側に向かって貫通するように挿通孔７に挿通された状態において、各挿通部１１の筋かい６からの突出側に、筋かい６と係合してスペーサ９の筋かい６からの離脱を規制する凸部１２が形成されている。凸部１２は支持片１０ａの先端が壁６ｃの内面に当接した状態で、壁６ｃの外面と係合する規制状態となる位置に形成されている。
【００２２】
この実施の形態では支持片１０ａの先端面１０ｂが、凸部１２が筋かい６の外側に位置するまで挿通部１１が挿通孔７に挿通された状態でスペーサ９の筋かい６に対する位置決めを行う位置決め部を構成する。凸部１２は挿通部１１にプレス加工で、それぞれ外側に凸となるように形成されている。
【００２３】
支柱１を自動倉庫で使用するラックに使用する場合は、本体２の両側壁２ａに、荷受け棚の係止爪を係止するための係合孔（いずれも図示せず）が所定ピッチで形成される。また、支柱１をパレットラックに使用する場合は、本体２の両側壁２ａに挟まれた壁に、ラックの連方向に並んだ支柱１間に架設されるビームの両端に固着されたガセットの係止爪を係止するための取付孔（いずれも図示せず）が所定ピッチで形成される。
【００２４】
次に前記のように構成されたスペーサ９を使用して筋かい６等の連結部材を支柱に連結する作業手順及びスペーサ９の作用を説明する。
支柱１はラックの列方向（図２の左右方向）に沿って連結板部４が互いに対向する状態で所定位置に立設される。筋かい６を支柱１に連結する場合は、先ず筋かい６の端部にスペーサ９を装着する。スペーサ９の装着作業は、スペーサ９の本体部１０を持って挿通部１１が挿通孔７と対向する状態に配置し、支持片１０ａの両端面が筋かい６の側壁６ａと摺接する状態で押し込む。凸部１２が挿通孔７と係合する位置まで挿通部１１が挿通孔７に挿通された状態からさらに本体部１０を押し込むと、両支持片１０ａは互いに内側へ若干撓み、凸部１２が挿通孔７を通過する。凸部１２が挿通孔７を通過すると両支持片１０ａは撓みが回復し、凸部１２が壁６ｃの外面（上面）と係合し、支持片１０ａの先端面１０ｂが壁６ｃの内面（下面）と係合した状態となり、スペーサ９が位置決めされた状態で筋かい６からの離脱が規制された状態となる。
【００２５】
次に筋かい６の孔６ｂが連結板部４の所定の孔４ａと対応する位置に筋かい６の端部が両連結板部４間に挿入された状態で、締結具としてのボルト１３が各孔４ａ，６ｂを貫通するように連結板部４に挿通される。そして、ボルト１３の先端側にナット１４が螺合され、ボルト１３及びナット１４により筋かい６と連結板部４とが締付け固定されて互いに連結される。筋かい６は支柱１に対して所定の角度をなすように斜めに連結される。この状態では両支持片１０ａの間にボルト１３が配置されている。また、水平材も同様にして、その端部が連結板部４の間に挿入された状態で、連結用の各孔４ａ等を貫通するボルト１３及びナット１４により締付け固定され、支柱１に対して直交するように、即ち水平に連結される。
【００２６】
この実施の形態のボルト１３は普通のボルトと異なり、頭部に連続するスリーブ部１３ａを有している。また、ナット１４も普通のナットと異なり、ボルト１３に螺合した状態でボルト１３の頭部と対向する側にスリーブ部１４ａを有し、スリーブ部１３ａ，１４ａが孔４ａ，６ｂを貫通する状態で取り付けられる。
【００２７】
スペーサ９は締結具による締め付け力に対抗する役割の他に、連結部材から連結板部４を介して支柱１にねじれ作用を与える力が作用する際に、ねじれ力を広い面積に分散させて支柱１への影響を少なくする役割を果たす。このとき、両側壁６ａと当接する部分の支持片１０ａの面積が大きいほど、ねじれ力の支柱１への影響が少なくなる。
【００２８】
この実施の形態では以下の効果を有する。
（１）  連結部材（例えば筋かい６）の端部に装着されるスペーサ９は、支持片１０ａの先端に設けられた挿通部１１が連結部材の端部の両側壁に挟まれた壁に形成された一対の挿通孔７に挿通され、各挿通部１１に形成された凸部１２が前記壁からの突出側において連結部材と係合してスペーサ９の連結部材からの離脱を規制する。従って、支柱１の本体の開口側に、長手方向に沿って延びる開口を有する連結部材をその端部の両側壁６ａ間にスペーサ９を介在させた状態で締結具（ボルト１３及びナット１４）を介して連結する連結作業時の作業性を良くすることができる。
【００２９】
（２）  スペーサ９は連結部材（例えば筋かい６）と別体に形成され、挿通部１１及び凸部１２を介して連結部材からの離脱が規制された状態で連結部材に装着される。従って、スペーサの役割を果たす折り曲げ部を連結部材の端部に一体形成する構成に比較して、断面積の大きなスペーサ９を使用することが容易になり、連結部材から連結板部４を介して支柱１にねじれ作用を与える力が作用する際に、ねじれ力を広い面積に分散させて支柱１への影響を少なくする役割を果たすことが可能になる。
【００３０】
（３）  凸部１２が壁６ｃの外側に位置するまで挿通部１１が挿通孔７に挿通された状態において、スペーサ９の連結部材（例えば筋かい６）に対する位置決めを行う位置決め部（先端面１０ｂ）が本体部１０に形成されている。従って、スペーサ９が連結部材に対して位置決めがなされた状態で装着されるため、連結部材の連結作業性がより向上する。
【００３１】
（４）  凸部１２は両挿通部１１にプレス加工でそれぞれ外側に凸となるように形成されているため、凸部１２の形成が簡単になる。
（５）  挿通部１１が支持片１０ａより狭い幅に形成され、支持片１０ａの先端面１０ｂが位置決め部を構成している。従って、位置決め部の形成が簡単になる。
【００３２】
（６）  スリーブ部１３ａを有するボルト１３と、スリーブ部１４ａを有するナット１４とを使用し、スリーブ部１３ａ，１４ａが孔４ａ，６ｂを貫通する状態で連結板部４と連結部材（筋かい６等）とが締め付け固定されるため、連結部材からボルト１３に作用する剪断力を担う部分の断面積が大きくなって、十分な剪断強度の確保が容易になる。
【００３３】
（７）  スリーブ部１４ａを有するナット１４を使用しているため、通常のナットを使用した場合と連結板部４の外側に突出する部分の長さが同じでも、ナット１４がボルト１３と螺合する部分の長さが長くなるため、締め付け力が大きくなってスペーサ９及び連結板部４による連結部材（筋かい６等）の挟持力が大きくなる。従って、連結部材から連結板部４に対して図３（ｂ）に矢印で示す連結板部４と直交する方向の力、即ち支柱１にねじれ作用を与える力が作用したときに、両連結板部４が共同して均等な状態でその力を担うことができ、支柱１が塑性変形し難くなる。即ち、連結部材から連結板部４を介して支柱１にねじれ作用を与える力が作用する際に、ねじれ力の支柱１への影響が少なくなる。
【００３４】
（８）  通常のボルト及びナットを使用した場合には、連結板部４の外側に突出する部分の一部が、支柱１の幅（両側壁２ａ外面間の距離）内から突出する状態となり、実質的に有効間口がその分狭くなってラックの収納効率が悪くなる。しかし、スリーブ部１４ａを有するナット１４の使用により、ボルト１３及びナット１４の連結板部４の外側に突出する部分が支柱１の幅内に収まり、ラックの収納効率が向上する。
【００３５】
なお、実施の形態は前記に限定されるものでなく、例えば、次のように具体化してもよい。
○  スペーサ９の形状は前記実施の形態の形状に限定されるものではなく、支持片１０ａと挿通部１１を同じ幅に形成し、筋かい６の壁６ｃには両側壁６ａの間隔と同じ長さの挿通孔７を形成してもよい。この構成ではスペーサ９の筋かい６に対する所定位置への位置決めを行う機能はないが、スペーサ９は凸部１２が筋かい６の壁６ｃの外面と係合する状態で筋かい６からの離脱が規制された状態に保持される。従って、筋かい６の支柱への連結作業時に、連結板部４及び筋かい６の孔４ａ，６ｂを対向させた状態でボルト１３を孔４ａ，６ｂに挿通した後、ナット１４を締め付ける際にスペーサ９の位置を所定位置に配置してナット１４を締め付けることにより、スペーサ９が所定位置に配置された状態で筋かい６の側壁６ａ間に締め付け固定される。
【００３６】
○  支持片１０ａと挿通部１１を同じ幅に形成した場合、図４（ａ）に示すように、支持片１０ａに凸部１２から壁６ｃの厚さに相当する所定間隔をおいた位置に、位置決め部としての凸部１５を形成してもよい。この場合は、凸部１２が壁６ｃの外側に突出する位置まで挿通部１１が挿通孔７に挿通された状態で、凸部１５が壁６ｃの内面と係合してスペーサ９の移動が規制され、スペーサ９の筋かい６に対する位置決めがなされる。
【００３７】
○  凸部１２，１５の形状は円形に限らず、他の形状としたり、細長い凸条としてもよい。
○  凸部１２，１５はプレス加工に限らず、例えば溶接による溶着金属で形成してもよい。また、位置決め部としての凸部１５は、支持片１０ａの先端の一部を折り曲げ加工することによって形成してもよい。
【００３８】
○  本体部１０の形状は断面コ字状に限らず、例えば支持片１０ａに挟まれた部分が円弧状のほぼＵ字状や、図４（ｂ）に示すように逆Ｍ字状等にしてもよい。また、両支持片１０ａの形状は平板に限らず途中に屈曲部があってもよい。逆Ｍ字状の場合や屈曲部がある場合は、基端から先端までの距離が同じ平板状の支持片１０ａに比較して本体部１０が連結部材の側壁と当接する部分の面積が大きくなり、地震の際、筋かい６を介してラックの支柱１に伝達されるねじれ力による影響をより少なくできる。
【００３９】
○  連結部材の形状は長手方向に沿って延びる開口を有する形状であればよく、筋かい６の両側壁６ａの先端が真っ直ぐな形状としてもよい。この場合は側壁６ａの先端に切欠き部８を形成する必要がなく、その分、連結部材の加工が簡単になる。
【００４０】
○  連結板部４と筋かい６等の連結部材との連結に使用するボルト１３及びナット１４として共にスリーブ部を有するものを使用するかわにり、図５に示すように、スリーブ部を有さないボルト１３と、スリーブ部１４ａを有するナット１４との組合せを使用してもよい。この場合も、両連結板部４の間隔が大きな場合でも、支柱１の両側壁２ａの外側にボルト１３及びナット１４が突出することなく、ボルト１３及びナット１４による締め付け力を高めることができる。
【００４１】
○  連結板部４と筋かい６等の連結部材との連結に使用するボルト及びナットとして、スリーブ部を有さないボルト及びナットを使用してもよい。また、連結板部４と連結部材との連結に使用する締結具としてリベットを使用してもよい。
【００４２】
○  支柱１の形状は実施の形態のものに限定されず、連結板部４をテーパ部３を設けずに、側壁２ａの先端から直角に折り曲げられた壁に連続するように連結板部４が形成された形状や、リップ５のない形状としてもよい。
【００４３】
○  スペーサ９が装着される連結部材は、自動倉庫のラック用あるいはパレットラック用の支柱１との連結に使用されるものに限らず、開口部を有する支柱を使用した全ての構造物の支柱との連結に使用されるものに適用できる。また、スペーサ９が装着された連結部材と支柱の連結板部４とを、少なくともスリーブ部１４ａを備えたナット１４を使用して締め付け固定する連結構造も同様に、開口部を有する支柱を使用した全ての構造物の支柱と連結部材との連結構造に適用できる。
【００４４】
前記実施の形態から把握できる請求項記載以外の発明（技術思想）について、以下にその効果とともに記載する。
（１）  請求項２に記載の発明において、前記挿通部は前記支持片より狭い幅に形成され、前記位置決め部は支持片の先端面で構成されている。この場合、位置決め部の形成が簡単になる。
【００４５】
（２）  長手方向に沿って延びる開口を有する連結部材を、その端部が支柱の本体の開口側の連結板部に挿入された状態で、連結用の孔を貫通するボルト及び該ボルトに螺合するナットを介して支柱に連結する支柱と連結部材との連結構造であって、前記連結部材の両側壁間に前記ボルトに挿通され、かつ両側壁に当接する状態でスペーサを配置し、前記ナットに側壁の内側まで延びるスリーブ部を有するナットを使用した支柱と連結部材との連結構造。この場合、通常のナットを使用した場合と連結板部の外側に突出する部分の長さが同じでも、ナットがボルトと螺合する部分の長さが長くなるため、締め付け力が大きくなってスペーサ及び連結板部による連結部材の挟持力が大きくなる。そして、連結部材から連結板部を介して支柱にねじれ作用を与える力が作用する際に、ねじれ力の支柱への影響が少なくなる。
【００４６】
（３）  （２）に記載の発明において、前記ボルトもスリーブ部を有し、ボルト及びナットの各スリーブ部が前記連結板部及び前記連結部材の側壁に形成された連結用の孔を貫通する状態で連結板部と連結部材とが締め付け固定される。この場合、連結部材からボルトに作用する剪断力を担う部分の断面積が大きくなって、十分な剪断強度の確保が容易になる。
【００４７】
【発明の効果】
以上詳述したように請求項１〜請求項３に記載の発明によれば、支柱の本体の開口側に、長手方向に沿って延びる開口を有する連結部材をその端部の両側壁間にスペーサを介在させた状態で締結具を介して連結する連結作業時の作業性を良くすることができ、しかも断面積の大きなスペーサを使用することが容易になる。
【００４８】
請求項２に記載の発明によれば、スペーサが連結部材に対して位置決めがなされた状態で装着されるため、連結部材の連結作業性がより向上する。
請求項３に記載の発明によれば、凸部の形成が簡単になる。
【図面の簡単な説明】
【図１】  （ａ）は一実施の形態の連結部材とスペーサを示す模式斜視図、（ｂ）はスペーサの側面図。
【図２】  支柱と筋かいとの連結状態を示す部分側面図。
【図３】  （ａ）は図２のＡ−Ａ線における断面図、（ｂ）は図２のＢ−Ｂ線断面図。
【図４】  （ａ）は別の実施の形態の連結部材とスペーサを示す模式斜視図、（ｂ）は別の実施の形態のスペーサの側面図。
【図５】  別の実施の形態のボルト及びナットを示す正面図。
【図６】  従来技術の支柱と連結部材の関係を示す分解斜視図。
【図７】  別の従来技術の支柱と連結部材の連結構造を示す断面図。
【図８】  （ａ）はパレットラック用の支柱とビームとの関係を示す部分正面図、（ｂ）は自動倉庫のラック用支柱と荷受け棚の関係を示す部分側面図。
【符号の説明】
１…支柱、２…本体、４…連結板部、４ａ，６ｂ…孔、６…連結部材としての筋かい、６ａ…側壁、６ｃ…壁、７…挿通孔、９…スペーサ、１０…本体部、１０ａ…支持片、１０ｂ…位置決め部としての先端面、１１…挿通部、１２…凸部、１３…締結具としてのボルト、１４…同じくナット、１５…位置決め部としての凸部。
【図１】
0003961710.tif 000002
【図２】
0003961710.tif 000003
【図３】
0003961710.tif 000004
【図４】
0003961710.tif 000005
【図５】
0003961710.tif 000006
【図６】
0003961710.tif 000007
【図７】
0003961710.tif 000008
【図８】
0003961710.tif 000009